(57)【特許請求の範囲】
【請求項１】
箱形の槽枠台（４）上面に、防水性の膜体（５）を水密状に張設して、液体（３６）を貯留する貯留槽（３）を形成し、且つ該貯留槽（３）の内部に、貯留液体（３６）による刺激手段（１５）を配設してなるウォーターベッド式のマッサージ装置（１）において、密閉した貯留槽（３）内部の、膜体（５）張設部に、膜体（５）張設面に対し、上方に突起したシェルター（２０）を設け、該シェルター（２０）に膜体（５）下面に滞留する気泡を集積し、
シェルター（２０）の上方部位にベント口（２２）を配し、該ベント口（２２）から貯留槽（３）外部にベント端（２９）を配したベント管（２４）を設け、
ベント管（２４）は、ベント端（２９）にて、貯留槽（３）へ貯留液の注入が可能なベント容器（２６）に接続されてあり、
ガス抜き時には、ベント容器（２６）に接続された吸気弁（２８）は閉じられ、ベント管（２４）の中間に配されたベント開閉弁（２３）とベント容器（２６）に接続された排気弁（２７）は開かれ、貯留槽（３）の局部空間（２１）に溜ったガスは、ベント管（２４）及びベント開閉弁（２３）を通じて内圧により外部のベント容器（２６）に排出され、ガスに貯留液が混入した場合には、ベント容器（２６）で分離されガスのみが排気弁（２７）から排出され、
前記シェルター（２０）は、膜体（５）を押上型枠（３０）で押し上げるようにして山形状に変形させたものであることを特徴とするガス溜め機能付き液圧マッサージ装置。
【請求項２】
ベント管（２４）を接続可能なベント容器（２６）は、シェルター（２０）にて形成された局部空間（２１）に溜まったガスを外部に排出するガス抜き機能と、貯留槽（３）に貯留液体（３６）を調整・補充する注入機能とを有し、
前記注入機能は、ベント容器（２６）を上下反転させて、貯留槽（３）の上方に位置させ、ベント開閉弁（２３）を開くと、液柱圧により液体（３６）が流下し貯留槽（３）内に注入補充される機能であることを特徴とする請求項１記載のガス溜め機能付き液圧マッサージ装置。
【発明の詳細な説明】
【０００１】
【産業上の利用分野】
本発明は、主に、臥位姿勢の人体（＝マッサージを受ける患者）の頚部、体幹及び下肢などを、膜体を介して噴流液圧などによりマッサージする、ウォーターベッド式の液圧マッサージ装置に関する。
【０００２】
【従来の技術】
従来の技術として、特開平１１−９３９６号公報に、ベッド本体の内部に水または水溶液が充填してあるウォーターベッド装置であって、上記ベッド本体の上部に空気抜き手段が設けてあることを特徴とするウォーターベッド装置が開示されている。
【０００３】
【発明が解決しようとする課題】
液圧マッサージ装置の場合、ベッド本体の内部の空気を十分に抜かないと、液面で生ずる波音が患者に伝わり、患者が不快感を持つ。更に、非常に大きな騒音が発生し、患者が不快感を持つ。
【０００４】
また噴流液による膜体の盛り上がり部にエア溜まり部が出来て、流体摩擦ロスが増大しマッサージ効果が弱くなる。
【０００５】
前記した従来装置の実施例は、空気抜きキャップをゴムマットに設けたものであるが、水温を調節する装置が備わったウォーターベッド装置にあっては、水温を上げることにより、水に溶け込んでいた空気などが液中から追い出され、ベッド本体内の上部に溜まる。特に使用に伴って経時的に徐々に溜まるガスのチェックと適切な捕集は困難であった。
【０００６】
また、一応除去しても機内に附着していた空気や溶存ガスが時間とともに気泡化し集まったり、吸込み側配管のシール部などに微小な真空漏れでも残っていると、時間とともに空気を吸込み、気泡が出来てくるなどの問題があり、常時ガス溜まりの無い最適な状態に保持するのは大変で、改善が要望されていた。
【０００７】
上記の空気を抜く時には、空気抜きキャップが設けてあるところまで空気を寄せ集め、手動により空気抜きキャップの頭キャップ部材を回して空気を抜くものである。従来構造は、ベッド本体内の上部に溜まった空気を抜く時には、前述したように空気を寄せ集め、手動により空気を抜かなければならず、面倒で、熟練を要する作業であるという難点があった。
【０００８】
また、空気抜きキャップはマットに貫通して下面に出っ張った構造のため、空気を集めて抜くのに時間と手間が掛かり、面倒で、熟練を要する作業であるという難点があった。又、膜体下面に少量残った気泡状のものは下面から横移動しにくく、十分に除去するのはかなり面倒であった。
【０００９】
又、空気を十分に抜く為には、液も一緒に抜け漏れる為、漏れた液を補充したり拭き取らねばならず、手間が掛かるものである。
【００１０】
本発明の目的は、上記難点を解決したものであり、簡便で効率的なガス抜きが出来、更に使用中にでもガス抜き運転ができる、特に好ましくは治療の合間に簡単にガス抜きが出来るもので、構造もきわめて簡易で安価であり、経済的なガス抜機構付きの液圧マッサージ装置を提供することにある。
【００１１】
【課題を解決するための手段】
即ち本発明は、箱形の槽枠台（４）上面に、防水性の膜体（５）を水密状に張設して、液体（３６）を貯留する貯留槽（３）を形成し、且つ該貯留槽（３）の内部に、貯留液体（３６）による刺激手段（１５）を配設してなるウォーターベッド式のマッサージ装置（１）において、密閉した貯留槽（３）内部の、膜体（５）張設部に、膜体（５）張設面に対し、上方に突起したシェルター（２０）を設け、該シェルター（２０）に膜体（５）下面に滞留する気泡を集積し、シェルター（２０）の上方部位にベント口（２２）を配し、該ベント口（２２）から貯留槽（３）外部にベント端（２９）を配したベント管（２４）を設け、
ベント管（２４）は、ベント端（２９）にて、貯留槽（３）へ貯留液の注入が可能なベント容器（２６）に接続されてあり、ガス抜き時には、ベント容器（２６）に接続された吸気弁（２８）は閉じられ、ベント管（２４）の中間に配されたベント開閉弁（２３）とベント容器（２６）に接続された排気弁（２７）は開かれ、貯留槽（３）の局部空間（２１）に溜ったガスは、ベント管（２４）及びベント開閉弁（２３）を通じて内圧により外部のベント容器（２６）に排出され、ガスに貯留液が混入した場合には、ベント容器（２６）で分離されガスのみが排気弁（２７）から排出され、前記シェルター（２０）は、膜体（５）を押上型枠（３０）で押し上げるようにして山形状に変形させたものであることを特徴とするガス溜め機能付き液圧マッサージ装置である。
又、ベント管（２４）を接続可能なベント容器（２６）は、シェルター（２０）にて形成された局部空間（２１）に溜まったガスを外部に排出するガス抜き機能と、貯留槽（３）に貯留液体（３６）を調整・補充する注入機能とを有し、
前記注入機能は、ベント容器（２６）を上下反転させて、貯留槽（３）の上方に位置させ、ベント開閉弁（２３）を開くと、液柱圧により液体（３６）が流下し貯留槽（３）内に注入補充される機能である。
【００１２】
【作用】
ウォーターベッド式のマッサージ機に係る箱形の貯留槽３に水を満たす。開口部８の槽枠台４面に張設した膜体５に人体を乗せる。貯留槽３内に設けられる刺激手段１５は膜体５に向かって水を噴出し、前記人体に水圧によるマッサージを施す。
【００１３】
密閉した貯留槽３内部の、膜体５張設部に設けられた、シェルター２０は、膜体５下面に滞留する気泡（ガス）を集積する。
【００１４】
即ち、シェルター２０は、貯留槽３内に形成された局部空間２１であり、該局部空間２１は、集積スペースであり、ガスを溜める。
【００１５】
シェルター２０は、張設した膜体５を上方に凸形状に変形させて作る。液面に生ずるガスがシェルター２０に集まる。
【００１６】
ベント口２２が局部空間２１に臨んで設けられたベント管２４は、局部空間２１のガスを抜く。
【００１７】
ベント容器２６に貯留液を貯溜しており、該ベント容器２６は、ベント管２４を介して貯留槽３へ、貯留液を注入する。
【００１８】
ベント容器２６が有するガス抜き機能は、貯留槽３の局部空間２１に溜まったガスを外部に排出する。ベント容器２６が有する注入機能は、ベント容器２６が貯留している貯留液体３６を貯留槽３に調整・補充する。
【００１９】
【実施例】
図１は、本発明装置の参考例１に係るガス溜め機能付き液圧式のマッサージ装置１の構造・機能を示す縦断面図である。
【００２０】
マッサージ装置１は、膜体５を張設し液体３６（本実施例では主に水溶液を使用する）を満たす貯留槽３と、貯留槽３を支持する装置台２と、貯留槽３内にあって少なくとも長手方向（＝頭側から足側の身長方向）に移動可能に設けられる刺激手段１５と、貯留槽３の貯留液を循環させ、刺激手段１５に送液する循環システム１６と、貯留槽３の膜体５張設面より上方に凸に設けられたシェルター２０部で機能するベントシステム２５とからなる。
【００２１】
貯留槽３は、上部に密閉構造のシェルター２０を有し、底壁６と側壁７と上面の開口部８とから構成される槽枠台４でなり、開口部８には防水性の柔軟な膜体５が水密に張設された密閉構造となっている。
【００２２】
貯留槽３の底壁６には、循環システム１６に繋がる吸込口１０が開設される。また、貯留槽３の内部には、液流によるマッサージ刺激を患者に与える刺激手段１５が、移動自在なノズル移動機構（図示略）によって可動に支持されている。
【００２３】
更に、貯留槽３上部のシェルター２０には、ベントシステム２５のベント口２２が配設されている。
【００２４】
装置台２は貯留槽３を支持する構造部材で、内部に循環システム１６やその他の付帯設備を収める。
【００２５】
刺激手段１５は、下部にローラー状の移動ガイド（詳細図示省略）が設けられたノズル台１４と、ノズル台１４上に立設されるダブル配列のノズル１３と、ノズル台１４に繋がる貯留槽３内部では屈曲自在な吐出管１２とからなる。
【００２６】
ノズル１３は、循環システム１６から送られた液体３６を膜体５に向かって噴出するものであって、貯留槽３上の膜体５に乗る患者の下方側に位置して、治療プログラムに従い、適宜、旋回や揺動などしながら身長方向に往復移動する構造である。
【００２７】
循環システム１６は、貯留槽３に設けた吸込口１０と、給排弁１７が設けられた吸込管１１と、ポンプや液温調節器、ろ過器、流量制御弁、開閉弁、電装装備などからなる循環機９と、循環機９出口側の刺激手段１５に繋がる吐出管１２とから構成される。
【００２８】
吐出管１２には分岐して排液可能な分岐弁１８が設けられる。循環機９は、貯留槽３の下方の装置台２内に設置され、吸込口１０から貯留槽３内の貯留液を吸い込み、内蔵のポンプで加圧吐出し、吐出管１２を介して刺激手段１５に加圧液を供給し、ノズル１３から膜体５に向かって噴出させマッサージ刺激とするものである。貯留槽３内に掃き出された貯留液は、再び吸込口１０から吸い込まれ循環する。
【００２９】
膜体５を張設して密閉した後の装置への新規給液や補給は、適宜給排弁１７からの配管供給により可能であるが、後述のごとくベント管２４部で行うことも出来る構造である。
【００３０】
また、貯留槽３の古くなった貯留液の更新取替えの際、貯留液の機外への排液は、給排弁１７や底壁６に設けた排液栓３８より適宜行われるが、排液をポンプアップしてコンテナー（図示省略）まで送ったり、所定の排水ピット（図示省略）まで送液する場合、分岐弁１８に排液ホース（図示省略）を繋いで、循環機９を運転して、排出することも可能となっており、分岐弁１８の使用により別途な排水ポンプを用いることなく、循環機９のポンプを利用して効率的な液抜き処理が出来るシステムになっている。
【００３１】
貯留槽３上部の膜体５下面へのガス溜まりを収集除去するためのベントシステム２５は、膜体５張設部の周縁部の開口部８に隣接する形で、槽枠台４の一端に膜体５張設面より上方に凸型のカバーでなるシェルター２０を設けて貯留槽３内に局部空間２１を形成する。更に、該局部空間２１の上面又は側面の上部にベント口２２を設け、ベント管２４でベント容器２６に接続したものである。
【００３２】
ベントシステム２５は膜体５下面に存在する気泡を局部空間２１に集積し、気液分離して外部排出を可能とするものである。ベント管２４は、ベント口２２をシェルター２０頂部に設け、中間にはベント開閉弁２３を配し、他端にベント端２９設けた可撓性のチューブでなり、貯留槽３より機外に引き出し、外部との連通機能を有する配管である。
【００３３】
局部空間２１は、マッサージ装置１の、設置立上げ運転時のガス抜き機能のほか、その後の経時運転中に、膜体５の下面に生成する気泡を膜体５勾配又は液の流れにより局部空間２１に移動させて、集積させるガス溜め機能の構造的スペースである。局部空間２１の液面１９上部に溜まったエアなどを分離したガスは、ベント開閉弁２３を操作して排出させる。
【００３４】
シェルター２０の一部を透明にしておくことでガス溜り状況が視認出来、またベント管２４も透明管であり、ガス溜りや液抜き状況が容易に視認される。
【００３５】
また、参考例１のその他の例として局部空間２１の頂部に自動排気弁（図示省略）を設け、自動的に排気させることも可能である。
【００３６】
ベント管２４末端のベント端２９には、ベント容器２６が接続され、ガス抜き時には、吸気弁２８は閉じられ、ベント開閉弁２３と排気弁２７は開かれている。局部空間２１に溜ったガスは、ベント管２４を通じて内圧により外部に排出される。
【００３７】
貯留液が混入した場合には、ベント容器２６で分離されガスのみが排出される。局部空間２１からの排気は、ガス部の内圧が大気圧以上で無いと強制吸引の必要があるため、通常ガス抜き作業時には、貯留液体３６が加圧されるよう膜体５の上面に人体などにより適宜簡易な荷重を付加することでよりスムースに排気される。
【００３８】
ベントシステム２５は、局部空間２１に溜まったガスを外部に排出する機能のほか、逆にベント口２２より液体３６を注入し、ガス抜きなどによって弛緩した膜体５の張り調整の機能を有する。
【００３９】
液体３６の注入は、ベント端２９に液体３６入りベント容器２６を繋ぎ、図１上破線表示のごとく、ガス抜き作業時とは反対にベント容器２６を上下反転させて、貯留槽３の上方に位置させ、ベント開閉弁２３を開くと、液柱圧により液体３６が流下し貯留槽３内に注入補充される。
【００４０】
このようにガス抜きと貯留液の補充が簡易な構造のベント容器２６で共用でき、且つ、簡単な作業で行うことが出来る。
【００４１】
尚、本ベントシステム２５は、非使用時にはベント開閉弁２３ほかを閉じ装置内に収納しておくことが出来るものである。
【００４２】
参考例１の膜体５を張設したマッサージ装置１を使用するに当たって、先ず、装置を使用場所に設置した後、貯留液の注入を行う。まず分岐弁１８を閉じ、給排弁１７とベント開閉弁２３を開いた状態で、貯留槽３に給排弁１７から給液する。給液するにしたがって、貯留槽３内の空気は局部空間２１からベント開閉弁２３を通り外部排気され、貯留槽３内は液体３６に置換される。
【００４３】
貯留槽３最上部まで液が充満してきたら、給液を多少多めにいれて、給排弁１７とベント開閉弁２３を閉じる。次に循環システム１６の初期運転を立上げ、必要に応じ液温制御も行いながら、ランニング運転を行い、装置内に満遍なく液体３６を循環させる。循環により、系内に存在する主として空気でなるガスが、局部空間２１に溜まる。ガス部容積が増加したら、適宜ベント開閉弁２３を開きガス抜きを行う。
【００４４】
ベント管２４のベント端２９はベント容器２６で受ける。ガスが排出され、液が混在してきたら排気弁２７を閉じる。更にランニング運転を行い、ガス除去が終了したら、ベント開閉弁２３を閉じ膜体５の張り具合を確認する。
【００４５】
膜体５の張り具合を点検し、弛緩し貯留液量が少なければ、ベント端２９の液体３６の入ったベント容器２６を反転させて貯留槽３の上方に持ち上げ、ベント開閉弁２３と吸気弁２８を開いて、液圧で給液補充し、最適状態に調整しベント開閉弁２３を閉じる。十分なガス抜きと膜体５の調整が出来たら、ベントシステム２５を収納する。
【００４６】
ガス抜き調整が済み治療準備が完了したら、患者の治療が可能となる。貯留槽３の上部に張設した膜体５上に患者を仰臥させる。貯留液圧及び可撓膜体５で患者の人体を支持する。
【００４７】
次に、循環システム１６を治療状態に機能させ、循環機９の駆動により刺激手段１５のノズル１３へ高圧液を送液する。即ち、前記循環機９は貯留槽３内の液を、吸込口１０から吸込み、高圧に加圧し、吐出管１２で刺激手段１５のノズル台１４に供給し、貯留槽３内でノズル１３から膜体５に向かって噴出し治療を行う。
【００４８】
貯留槽３内に設けられるノズル１３は、貯留槽３の長手方向に移動しながら、また適宜左右に揺動・旋回などしながら、且つ、治療内容により液圧を制御しながら、膜体５に向かって液を噴出し、該膜体５を介して、患者に噴流液の噴出刺激によるマッサージを施す。
【００４９】
ノズル台１４は貯留槽３内を適宜治療パターン制御に従い、２個配列のノズル１３が、旋回又は揺動しながら身長方向に適宜の軌跡で移動しつつ噴流液を放出し膜体５を介して患者人体に治療作用を行う。
【００５０】
設置又は液替え後の立上げ運転で初期のガス抜き調整した後、経時使用中のベントシステム２５のガス抜きは、通常、治療タイムの合間に、患者を載せずに膜体５下面の気泡を押しローラなどで膜体５をならしながら気泡を局部空間２１の方向に寄せ集めて行うが、急ぐ場合には、治療時間中に治療しながら同時に行うこともできるものである。即ち、本マッサージ装置１のベントシステム２５は、循環システム１６の非運転中は勿論、運転中でも使用可能である
【００５１】
治療液は、通常安価な水溶液を使用するため、長期間使用すると水が腐ってくるので、液の取り替え及び内部の清掃を行う。貯留液を抜く際、ベント開閉弁２３と排気弁２７は開放し、分岐弁１８に排水ホース（図示省略）を繋ぎ、コンテナーなど排液受け（図示省略）まで敷設して、循環機９を運転しながら送液し貯留槽３内の液抜きを行う。
【００５２】
図２は、第１実施例のマッサージ装置１のガス抜き構造部を示す装置脚側の断面見取り図である。
マッサージ装置１は、ほぼ参考例１と同様の循環システム１６や刺激手段１５からなる機能構成であるが、参考例１に比べ、膜体５の張設構造を単純化したもので、シェルター２０を、槽枠台４に設けず膜体５の張設部に形成したものである。
【００５３】
槽枠台４の周縁部には槽枠フランジ部３４が設けられ、該槽枠フランジ部３４と膜体締具３３により、膜体５の周縁部を挟んで締付け、密閉した貯留槽３となしている。
【００５４】
張設された膜体５の周縁部下面に、貯留槽３の内側から、柔軟性のある押上型枠３０で押し上げるようにして膜体５を変形させ山形状のシェルタ―２０となし、内部に局部空間２１の空間を形成する。膜体５は柔軟な可撓性シートであり押上型枠３０に添って滑らかな凸形状となる。
【００５５】
押上型枠３０は格子状などの隙間構造でなり、膜体５との接触面は、貯留液体３６やガス体が膜体５に添って自在に通過する構造となっている。押上型枠３０の下部は、ロッド状の支持部３１で支持され、底壁６のシール部３２で摺動可能に貫通し、伸縮器３７操作により昇降して、適宜シェルター２０及び局部空間２１の形成が出来る。
【００５６】
また押上型枠３０の上部には、ベント管２４のベント口２２が設けられ、押上型枠３０の昇降に追従する。ベント管２４は側壁７を貫通し外部に配設される。第１実施例のシェルター２０は複数箇所設けられ、ベント配管２４も適宜設けられる。
【００５７】
ベント端２９のガス抜き操作は、参考例１同様のベント容器２６で操作出来るが、ベント容器２６の使用にかかわらず同等の機能処理が出来る。
【００５８】
第１実施例のマッサージ装置１の使用及びガス抜き操作は、ほぼ参考例１同様に行われるが、シェルター２０の形成が押上型枠３０により、適宜高さやガス除去操作のタイミングの調整が出来る。
【００５９】
即ち、治療時の邪魔にならないように、ガス抜き操作や貯留液体３６補充操作時のみ局部空間２１を形成しても良く、あるいは、常時は微小な局部空間２１を形成しておき、徐々に発生するガス気泡が効率的に集められる状態にして使用しても良い。
【００６０】
図３は、第２実施例マッサージ装置１のガス抜き構造部を示す、第１実施例同様の装置構成であり、装置脚側の端部の断面見取り図を示す。
第１実施例に比べ、シェルター２０の形状を、頂部がフラットな凸形状に変え、周りを押上型枠３０で押えた構造にしたものである。
【００６１】
シェルター２０をフラットで長形とするため、膜体５の変形が膜体５の張設面を全体に持ち上げることになり、膜体５張設面が全体に盛り上がる変形となるのを押えるため、変形部の周辺に浮き上がりを押える膜体押え３５で押える。
【００６２】
ガス捕集時には膜体押え３５を外すとガス溜りの移動性が良くなる。第２実施例の使用方法、機能については、ほぼ第１実施例と同様であるが、幅広い局部空間２１のためガスの捕集性が良く、また膜体５が微変形で膜体５の損傷も少ない。
【００６３】
第２実施例は、局部空間２１の容積が増え、また押上型枠３０が固定しているので構造が簡易で安価である。
【００６４】
図４に参考例２のマッサージ装置１を示す。参考例２のマッサージ装置１のマッサージ機能及び使用方法は、ほぼ参考例１と同様であるが、シェルター２０を、膜体５の張設部に、特に膜体５の頭部側位置と脚部側位置の縁部近辺に、長幅の凸状にして設けたものである。
【００６５】
更に、第１実施例及び第２実施例では、膜体５に、シェルター２０を構成する為に柔軟な膜体５を押上型枠３０で押上げて凸形状に変形させて設けたが、参考例２では、膜体５自体の一部を胸当てパットのように最初から変形させた構造としておき、押上型枠３０を用いずにシェルター２０及び局部空間２１を形成したものである。
【００６６】
樹脂製やゴム製の膜体５に熱加工などにより変形させて凸形状とした膜体５は、柔軟性も保持しており、患者などに接触しても違和感が無くより好適である。
【００６７】
ベント口２２の取り付けは、図示詳細は省くが、シェルター２０の下面に柔軟な保持材で支持するか、あるいは膜体５の上下動に追従可能な追従機能具で取り付けて、局部空間２１の上部に配設する。
【００６８】
シェルター２０を装置の長手方向両端にそれぞれ設けたものでは、人が膜体５に乗った時体重でガスが装置の端方向へ移動するので、前記シェルター２０へガスが集まり易いという効果がある。
図４中に示す参考例２の各構成部材の番号呼称は、参考例１、第１実施例、及び第２実施例と同様である。
【００６９】
【発明の効果】
本発明は、密閉した貯留槽３内部の、膜体５張設部に、膜体５張設面に対し、上方に突起したシェルター２０を設け、膜体５下面に滞留する気泡を集積しガス溜めとするものであるから、特別なエアー抜き装置（吸引具、吸引ポンプ、気液分離器等）無しでエアー抜きができ、装置を安価に製作でき、好都合である。
【００７０】
又、追加発生する再度のエアー抜き操作は殆ど不要に近く、好都合である。少なくとも、ガス溜まりの容量でカバーでき、慌ててガス抜き処理をする必要はなく、エアー抜き能率がよく、好都合である。
【００７１】
本発明は、張設した膜体５を上方に凸形状に変形させたシェルター２０を設けて、局部空間２１を形成するものであるから、軽微な内圧だけでエアー抜きができ、装置を安価に製作でき、好都合である。
【００７２】
本発明は、局部空間２１の上方部位にベント口２２を配し、貯留槽３外部にベント端２９を配したベント管２４を設けたものであるから、エアー抜き能率が良く、好都合である。
【００７３】
本発明に係るベント容器（２６）は、貯留槽（３）に貯留液体（３６）を注入できるものであるから、ガス抜きと貯留液の注入とが簡易な構造のベント容器２６を共用して実施でき、且つ、簡単な作業で行うことができ、好都合である。
【００７４】
本発明に係るベント容器２６は、貯留槽３の局部空間２１に溜まったガスを外部に排出するガス抜き機能と、貯留槽３に貯留液体３６を調整・補充する注入機能とを有するものであるから、簡易にガス抜きが出来るのみならず、貯留槽３内部に貯留する貯留液の充満度の調整も簡易に出来、好都合である。
【００７５】
又、逆注水（漏斗程度のもの、又は水道連結）により、膜体５膨らみの事後調整が簡単にでき、又、装置が簡単であって安価に作製でき、又、操作も簡単・便利であり安全であり、好都合である。
【図面の簡単な説明】
【図１】本発明の参考例１の長手方向縦断面図である。
【図２】本発明の第１実施例のシェルター及び昇降する押上型枠を示す部分斜視図である。
【図３】本発明の第２実施例のシェルター及び押上型枠を示す部分斜視図である。
【図４】本発明の参考例２の、長手方向の両端に設けたシェルターを示す斜視図である。
【符号の説明】
１    マッサージ装置
３    貯留槽
４    槽枠台
５    膜体
１５  刺激手段
２０  シェルター
２４  ベント管
２６  ベント容器
２９  ベント端
【図１】
0004136381.tif 000002
【図２】
0004136381.tif 000003
【図３】
0004136381.tif 000004
【図４】
0004136381.tif 000005